(57)【要約】【課題】  一人の作業者により含水汚泥から汚泥のみを容易に回収し得る汚泥脱水袋用スタンドを提案することにある。【解決手段】  汚泥脱水袋３の開口部８を開口させた状態で当該係止突起14に係止させるようにしたことにより、開口部８を開口させた状態で汚泥脱水袋３を支持できるので、一人の作業者によって開口部８から汚泥脱水袋３内に含水汚泥25を容易に投入できるとともに、この投入された含水汚泥25の水分を下方に集めて外部に排出できるので確実に汚泥のみを回収でき、かくして一人の作業者により含水汚泥25から汚泥のみを容易に回収し得る。【選択図】        図２
0003105213.tif 000002
【実用新案登録請求の範囲】
【請求項１】
透水性を有する汚泥脱水袋の開口部を開口させた状態で開口周縁部を係止する係止手段と、前記係止手段を所定の高さに配置させ、前記汚泥脱水袋を支持する脚部とを備えること特徴とする汚泥脱水袋用スタンド。
【請求項２】
前記脚部は、脚杆同士を交叉状態に軸着して折り畳み可能な構成としたことを特徴とする請求項１記載の汚泥脱水袋用スタンド。
【請求項３】
前記脚杆は、ほぼ四角形のフレーム状でなり、一方の前記脚杆を他方の前記脚杆よりも小さく形成し、前記他方の脚杆の内側に前記一方の脚杆を配置したことを特徴とする請求項２記載の汚泥脱水袋用スダンド。
【請求項４】
前記係止手段は、前記脚杆の脚上部に設けられ、上方に向かって突出した係止突起部でなることを特徴とする請求項２又は３記載の汚泥脱水袋用スタンド。
【請求項５】
前記脚部は、下水溝の両側部間で開脚させることにより、前記下水溝の両側部にある段差部に当接する脚下部を備え、前記汚泥脱水袋を前記下水溝の上方に設置させることを特徴とする請求項１乃至４のうちいずれか１項記載の汚泥脱水袋用スタンド。
【請求項６】
前記脚杆は、前記脚上部を有する上部側脚杆部に、前記脚下部を有する下部側脚杆部が伸縮自在に嵌め込まれたことを特徴とする請求項５記載の汚泥脱水袋用スタンド。
【考案の詳細な説明】
【技術分野】
【０００１】
この考案は、汚泥脱水袋用スタンドに関し、例えば、下水溝に蓄積したヘドロや汚泥沈積物などの含水汚泥から汚泥のみを回収する場合に適用して好適なものである。
【背景技術】
【０００２】
従来、含水汚泥から汚泥のみを回収する場合には、水分のみを透過せしめる不織布材から成る脱水用シートを袋状に成形した汚泥脱水袋に含水汚泥を投入した後、汚泥脱水袋の開口部を縛り、この状態で汚泥脱水袋を放置することにより水分を脱水し、汚泥のみを回収している。
【考案の開示】
【考案が解決しようとする課題】
【０００３】
ところが、このような汚泥脱水袋に含水汚泥を詰め込む袋詰め作業を一人の作業者で行う場合には、開口部を開口させた状態で汚泥脱水袋を地面に寝かせ、作業者がスコップなどで下水溝からくみ取った含水汚泥を、この開口部から汚泥脱水袋内に詰め込むため、含水汚泥を汚泥脱水袋内に確実に詰め込み難く、また袋詰め作業の際に、開口部を縛っておかなければ、詰め込んだ含水汚泥が開口部から漏れ出ることもあった。
【０００４】
このため、汚泥脱水袋に含水汚泥を確実に詰め込むには、少なくとも一人の作業者が汚泥脱水袋の開口部を開口した状態で支持し、別の作業者がスコップなどでくみ取った含水汚泥を投入する必要があるため、作業者一人で含水汚泥から汚泥のみを容易に回収し得なかった。特に、汚泥脱水袋を支持する作業者にとっては、袋詰め作業のときに含水汚泥が付着するおそれがあり、共同で袋詰め作業を行うことは好ましいものではなかった。
【０００５】
そこで、本考案は以上の点を考慮してなされたもので、作業者一人で含水汚泥から汚泥のみを容易に回収し得る汚泥脱水袋用スタンドを提案しようとするものである。
【課題を解決するための手段】
【０００６】
本考案の請求項１では、透水性を有する汚泥脱水袋の開口部を開口させた状態で開口周縁部を係止する係止手段と、前記係止手段を所定の高さに配置させ、前記汚泥脱水袋を支持する脚部とを備えるようにした。
【０００７】
本考案の請求項２では、前記脚部は、脚杆同士を交叉状態に軸着して折り畳み可能な構成とした。
【０００８】
本考案の請求項３では、前記脚杆は、ほぼ四角形のフレーム状でなり、一方の前記脚杆を他方の前記脚杆よりも小さく形成し、前記他方の脚杆の内側に前記一方の脚杆を配置した。
【０００９】
本考案の請求項４では、前記係止手段は、前記脚杆の脚上部に設けられ、上方に向かって突出した係止突起部でなるようにした。
【００１０】
本考案の請求項５では、前記脚部は、下水溝の両側部間で開脚させることにより、前記下水溝の両側部にある段差部に当接する脚下部を備え、前記汚泥脱水袋を前記下水溝の上方に設置させるようにした。
【００１１】
本考案の請求項６では、前記脚杆は、前記脚上部を有する上部側脚杆部に、前記脚下部を有する下部側脚杆部が伸縮自在に嵌め込まれたものとした。
【考案の効果】
【００１２】
本考案の請求項１によれば、開口部を開口させた状態で汚泥脱水袋を支持できるので、一人の作業者によって開口部から汚泥脱水袋内に含水汚泥を容易に投入できるとともに、この投入された含水汚泥の水分を下方に集めて外部に排出できるので確実に汚泥のみを回収でき、かくして一人の作業者により含水汚泥から汚泥のみを容易に回収し得る。
【００１３】
本考案の請求項２によれば、不使用時、脚杆同士を折り畳むことにより、脚部を薄型化でき、かくしてコンパクトに収納できる。
【００１４】
本考案の請求項３によれば、一方の脚杆を他方の脚杆内に配置したので、不使用時、折り畳むことにより脚部を薄型化でき、かくしてコンパクトに収納できる。
【００１５】
本考案の請求項４によれば、汚泥脱水袋の開口周縁部を係止突起部に突き刺して係止させることができるので、種々の形状の汚泥脱水袋を、開口部を開口させた状態で確実に支持でき、また、汚泥脱水袋の脚部に対する装着及び取り外しを容易に行い得る。
【００１６】
本考案の請求項５によれば、下水溝の上方に汚泥脱水袋を支持できるので、この汚泥脱水袋から排出した水分を下水溝に直接排出することができ、かくして下水溝の周辺地面を汚すことなく汚泥を回収できる。
【００１７】
本考案の請求項６によれば、脚上部と脚下部との間隔を短くできるのでコンパクト化できるとともに、係止手段を所望の高さに選定できる。
【考案を実施するための最良の形態】
【００１８】
以下、本考案における好ましい実施例について、添付図面を参照しながら説明する。
【００１９】
図１において、１は全体として汚泥脱水袋装着スタンドを示し、この汚泥脱水袋装着スタンド１は、汚泥脱水袋用スタンド２に汚泥脱水袋３が装着された構成を有する。
【００２０】
実際上、汚泥脱水袋用開口スダンド２は、対をなす脚杆４及び５を交叉状態とし、軸着部６で軸着して折り畳み可能に構成された脚部７を有し、この脚部７によって、汚泥脱水袋３の開口部８を開口させた状態で支持し得るようになされている。
【００２１】
因みに、ここで汚泥脱水袋３は、水分のみを透過する不織布材から成る脱水用シートを袋状に成形したものであり、開口部８から含水汚泥（図示せず）が詰め込まれると、この含水汚泥の水分のみを外部に排出し汚泥のみを確実に回収し得るように構成されたものである。
【００２２】
実際上、脚杆４及び５は、金属製の丸パイプをほぼ四角形の枠状に形成し、短辺と長辺とを備え、長辺同志が軸着部６により軸着されていることにより、上部（以下、これを脚上部と呼ぶ）10及び11の短辺間を広げるとともに、下部（以下、これを脚下部と呼ぶ）12及び13の短辺間を広げるようにして開脚し得る。
【００２３】
なお、この実施の形態の場合においては、脚杆４及び５を金属製で形成するようにした場合について述べたが、本考案はこれに限らず、脚杆４及び５を、例えばプラスチック製や木製など種々の部材で形成するようにしても良い。
【００２４】
ここで、軸着部６は、脚杆４及び５の長辺において、中央部付近よりも上方に配置されていることにより、開脚時、脚下部12及び13間の開脚幅を、脚上部10及び11間の開脚幅よりも広くさせ得るようになされている。
【００２５】
かかる構成に加えて、脚上部10及び11には、上方に向かって突出した係止突起部14を備え、複数（この場合、３つ）の係止突起部14が各角部と中央部とに配置されている。
【００２６】
実際上、この実施の形態の場合においては、係止突起部14が上方に突出していることから、脚上部10及び11及び脚下部12及び13同士の間隔を狭めて脚部７を折り畳んだ閉脚時、内側にある一方の脚杆５の係止突起部14が外側にある他方の脚杆４に当たることにより、脚杆４の回転を規制し得、かくして脚杆４が回転し続けることを防止して脚部７を確実に閉脚状態とさせ、薄型化し得るようになされている。
【００２７】
以上の構成において、作業者は、図２に示すように、脚杆４及び５を開脚し、下水溝20の両側部における段差部21及び22に、脚下部12及び13をそれぞれ配置することにより、下水溝20をまたがせるようにして脚部７を設置できる。
【００２８】
因みに、この下水溝20は、例えば、道路の側部に設けられたU字状の側溝などであり、また、両側部に設けられた段差部21及び22は、例えば、下水溝20を密閉するための側溝蓋（図示せず）が嵌め込まれる段差部などである。なお、脚部７の大きさは、下水溝20の段差部21及び22間の距離や汚泥脱水袋３の大きさなどに応じて選定されている。
【００２９】
ここで、脚部７は、脚杆４及び５同士が交叉状態で軸着されていることにより脚下部12及び13の間隔を任意に変化させることができ、かくして種々の幅寸法を有する下水溝20の段差部21及び22間に脚下部12及び13を確実に当接させた状態で設置できる。
【００３０】
そして、この状態で脚杆４及び５の間に汚泥脱水袋３を挿入した後、この汚泥脱水袋３の開口周縁部3Aを外側に向けて放射状に折り返し、脚上部10及び11に設けた係止突起部14に開口周縁部3Aを突き刺すことにより、汚泥脱水袋３の開口部８を開口させた状態で脚上部10及び11に装着する。
【００３１】
ここで、この実施の形態の場合においては、汚泥脱水袋３の開口周縁部3Aを係止突起部14で突き刺して係止させるようにしたことにより、種々の形状を有する汚泥脱水袋３を、開口部８を開口させた状態で脚上部10及び11に対し容易に、かつ確実に装着できる。
【００３２】
このようにして、汚泥脱水袋３の開口部８が脚上部10及び11に装着されることにより、汚泥脱水袋３の袋底部3Bを脚下部12及び13側に垂らした状態で支持できる。
【００３３】
かくして、作業者は、スコップなどで下水溝からくみ取った含水汚泥25を、開口部８から汚泥脱水袋３内に容易に投入できる。そして、このように袋詰め作業を一人の作業者により確実に行うことができるので、他の作業者が汚泥脱水袋を支持する必要がなくなり、含水汚泥が他の作業者に付着することを回避できる。
【００３４】
かくして、汚泥脱水袋３内に投入された含水汚泥25の水分は、重力により袋底部3Bに集められ、当該袋底部3Bから外部へ排出される。
【００３５】
このとき、含水汚泥25の水分が汚泥脱水袋３の袋底部3Bからのみ排出されるとともに、この袋底部3Bが下水溝20の上方に設置されているので、当該汚泥脱水袋３から排出される水分を確実に下水溝20に排出でき、かくして含水汚泥25の水分により下水溝20の周辺地面Ｇが汚れることを防止できる。
【００３６】
また、脚部７は、含水汚泥25の荷重によって脚下部12及び13の間隔が広がることにより、当該脚下部12及び13が下水溝20の段差部21及び22に押し当てられ、かくして含水汚泥25の荷重により下水溝20に対して安定的に設置できる。
【００３７】
また、このとき、脚下部12及び13の間隔が脚上部10及び11の間隔よりも広がることから、含水汚泥25の荷重に対して脚部７を安定的に設置できる。
【００３８】
因みに、汚泥脱水袋用スタンド２は、脚部７を地面Ｇ上に設置した場合であっても、開口部８により脚上部10及び11の開脚が規制され、これにより汚泥脱水袋３の袋底部3Bを地面Gに接触させた状態で当該汚泥脱水袋３を脚部７により支持でき、かくして袋詰め作業を一人の作業者により確実に行うことができる。
【００３９】
以上の構成によれば、本実施例では、汚泥脱水袋３の開口部８を開口させた状態で係止突起部14に係止させるようにしたことにより、開口部８を開口させた状態で汚泥脱水袋３を支持できるので、一人の作業者によって開口部８から汚泥脱水袋３内に含水汚泥25を容易に投入できるとともに、この投入された含水汚泥25の水分を下方に集めて外部に排出できるので確実に汚泥のみを回収でき、かくして一人の作業者により含水汚泥25から汚泥のみを容易に回収し得る。
【００４０】
また、本実施例では、ほぼ四角形のフレーム状でなる脚杆４及び５同士を折り畳むことができるようにしたことにより、不使用時、脚部７を薄型化でき、かくしてコンパクトに収納できる。
【００４１】
さらに、本実施例では、脚上部10及び11に係止突起部14を設けるようにしたことにより、汚泥脱水袋３の開口周縁部3Aを係止突起部14に突き刺して係止させることができるので、種々の形状の汚泥脱水袋３を、開口部３を開口させた状態で確実に支持でき、また、汚泥脱水袋３の脚部７に対する装着及び取り外しを容易に行い得る。
【００４２】
さらに  本実施例では、脚部７を下水溝20に設置可能な構成としたことにより、下水溝20の上方に汚泥脱水袋３を支持できるので、この汚泥脱水袋３から排出した水分を下水溝20に直接排出することができ、かくして下水溝20の周辺地面Gを汚すことなく汚泥を回収できる。
【００４３】
なお、上述した実施の形態においては、ほぼ四角形でなる脚杆４及び５同士を軸着部６で軸着させた脚部７を用いるようにした場合について述べたが、本考案はこれに限らず、図１との対応部分に同一符号を付して示す図３（Ａ）のように、コ字状の脚杆51及び52同士を軸着部６で軸着させた脚部51を用いるようにしても良く、この場合でも上述と同様の効果を得ることができる。
【００４４】
因みに、この場合、汚泥脱水袋用スタンド54は、脚杆51及び52同士を折り畳み可能に形成し得るとともに、脚部51を開脚させて脚下部55及び56を下水溝20の段差部21及び22にそれぞれ設置できる。
【００４５】
また、図１との対応部分に同一符号を付して示す図３（Ｂ）のように、コ字状でなり支柱101にパイプ状の軸受け部102をそれぞれ備えた脚杆103と、コ字状でなり一方の支柱104が軸受け部102にそれぞれ挿通され回動可能な脚杆105及び106とによって構成された脚部107を用いるようにしても良く、この場合でも上述と同様の効果を得ることができる。
【００４６】
因みに、この場合、汚泥脱水袋用スタンド100は、軸受け部102を介して脚杆103に対し脚杆104及び105を折り畳み可能に形成し得るとともに、脚杆103、104及び105の互いの角度を調節することにより脚下部108、109及び110を下水溝20の段差部21及び22にそれぞれ設置できる。
【００４７】
さらに、図４に示すように、円形状の脚上部151に棒状の脚杆152を一体成形させた脚部153を用いるようにしても良く、この場合、汚泥脱水袋用スタンド154は、脚部153を折り畳めないものの、汚泥脱水袋３の開口部８を開口させた状態で係止突起部155に係止させ、当該汚泥脱水袋３を支持でき、また、下水溝20の段差部21及び22に脚下部156を設置できる。
【００４８】
さらに、上述した実施の形態においては、脚杆４及び５を一体形成した場合について述べたが、本考案はこれに限らず、図１との対応部分に同一符号を付して示す図５のように、脚杆201及び202の長辺を長手方向に伸縮自在にスライドできるようにしても良い。
【００４９】
この場合、脚杆201及び202は、図５及び図６に示すように、脚上部10及び11を有する上部側脚杆部204及び205に、脚下部12及び13を有する下部側脚杆部206及び207がそれぞれ嵌め込まれた構成でなり、図示しないストッパによって下部側脚杆部206及び207を所定長さに伸ばして上部側脚杆204及び205に保持し得、脚上部10及び11と脚下部12及び13との間隔を所望の長さに設定できる。
【００５０】
これにより、汚泥脱水袋用スタンド203は、脚杆201及び202の長辺を短くできるのでコンパクト化できるとともに、係止突起部14を所望の高さに選定できる。
【図面の簡単な説明】
【００５１】
【図１】本考案による汚泥脱水袋用スタンドの全体構成を示す略線図である。
【図２】汚泥脱水袋用スタンドを下水溝に設置させたときの様子を示す略線図である。
【図３】他の実施の形態による汚泥脱水袋用スタンド（１）を示す略線図である。
【図４】他の実施の形態による汚泥脱水袋用スタンド（２）を示す略線図である。
【図５】他の実施の形態による汚泥脱水袋用スタンド（３）を示す略線図である。
【図６】上部側脚杆と下部側脚杆部との断面構成を示す略線図である。
【符号の説明】
【００５２】
２  汚泥脱水袋用スタンド
３  汚泥脱水袋
４及び５  脚杆
７  脚部
８  開口部
10及び11  脚上部
12及び13  脚下部
14  係止突起部（係止手段）
【図１】
0003105213.tif 000003
【図２】
0003105213.tif 000004
【図３】
0003105213.tif 000005
【図４】
0003105213.tif 000006
【図５】
0003105213.tif 000007
【図６】
0003105213.tif 000008